(57)【特許請求の範囲】
【請求項１】
電線端末の雌端子が収容されフード部を有したメスコネクタと、電線端末の雄端子が収容され前記メスコネクタのフード部内に嵌合して前記雌端子と雄端子とが接続されるオスコネクタとからなり、
前記メスコネクタのフード部の内壁の対向位置にそれぞれ設けられた一対のガイド溝と、
前記オスコネクタの外周に設けられ前記メスコネクタとの嵌合状態で前記一対のガイド溝にそれぞれ挿入されてメスコネクタとオスコネクタとの回動を規制する一対のガイドリブと、
前記ガイド溝の底面にそれぞれ設けられて前記ガイドリブと当接しメスコネクタとオスコネクタの縦横方向の移動を規制する規制突部とを有するコネクタであって、
前記メスコネクタはメスコネクタハウジングと、端子収容室が設けられるコネクタ本体と、このコネクタ本体を覆う前記フード部としての外套フード部とで形成され、前記外套フード部の内壁に前記一対のガイド溝が設けられ、該一対のガイド溝のガイド面の奥方に前記規制突部がそれぞれ設けられ、
前記オスコネクタはオスコネクタハウジングと、前記メスコネクタとの嵌合時に前記コネクタ本体と外套フード部との間に挿入される嵌合フード部とで形成され、前記ガイドリブは前記嵌合フード部の縦方向長さと横方向長さのうち長い方の両側壁にそれぞれ形成されていることを特徴とするコネクタ。
【発明の詳細な説明】
【技術分野】
【０００１】
本発明は、電線端末の端子同士を接続するコネクタに関する。
【背景技術】
【０００２】
従来から、電線端末の雌端子と雄端子を電気的に接続するコネクタとして、例えば、特開２００２−１９８１２７号公報（特許文献１）に記載されたコネクタが提案されている。
【０００３】
このようなコネクタは、雌コネクタを収容したコネクタハウジングと、雄コネクタを収容したコネクタハウジングとを嵌合することにより、雌端子と雄端子とを接続することを可能にしたものである。
【０００４】
図９（ａ）から図９（ｃ）は、特許文献１に記載されたコネクタの構成を示す図である。図９（ａ）から図９（ｃ）に示すように、コネクタ１００は、雌端子が収容されるメスコネクタ１０２と、雄端子が収容されるオスコネクタ１０４とから略構成されている。
【０００５】
図９（ａ）及び図９（ｂ）に示すように、メスコネクタ１０２は、筒状に形成されたメスコネクタハウジング１２１と、雌端子が収容される端子収容室１２２が設けられたコネクタ本体１２３と、後述するガイドリブ１４４が進入可能なガイド溝１２４と、メスコネクタハウジング１２１内部に設けられた規制突部１２５とを備えている。
【０００６】
図９（ａ）及び図９（ｃ）に示すように、オスコネクタ１０４は、筒状に形成されたオスコネクタハウジング１４１と、雄端子を収容する雄端子収容室１４２と、メスコネクタ１０２の内部に挿入される嵌合フード部１４３と、嵌合フード部１４３の全長にわたって前後に延出してガイド溝１２４に進入可能なガイドリブ１４４とを備えている。
【０００７】
そして、ガイド溝１２４にガイドリブ１４４を進入することによりメスコネクタ１０２とオスコネクタ１０４とを嵌合する。このとき、メスコネクタハウジング１２１内部に対角位置に設けられた規制突部１２５が嵌合フード部１４３に当接することにより、メスコネクタ１０２とオスコネクタ１０４との嵌合状態を保持する。
【先行技術文献】
【特許文献】
【０００８】
【特許文献１】特開２００２−１９８１２７号公報
【発明の概要】
【発明が解決しようとする課題】
【０００９】
しかしながら、上述した従来のコネクタ１００では、メスコネクタハウジング１２１が弾性的に拡開されて規制突部１２５が嵌合フード部１４３に当接することにより、メスコネクタ１０２とオスコネクタ１０４との回動を規制している。
【００１０】
このため、規制突部１２５が嵌合フード部１４３に当接していない部分は、嵌合フード部１４３と規制突部１２５との間に適切なクリアランス（隙間）を設けないと嵌合力が高くなるという問題が発生する。
【００１１】
そこで、本発明はこのような従来の課題を解決するためになされたものであり、その目的とするところは、メスコネクタとオスコネクタとの回動を抑制すると共に、嵌合力が高くなることを抑制するコネクタを提供することにある。
【課題を解決するための手段】
【００１２】
上記目的を達成するため、本願請求項１に記載した本発明のコネクタは、電線端末の雌端子が収容されフード部を有したメスコネクタと、電線端末の雄端子が収容され前記メスコネクタのフード部内に嵌合して前記雌端子と雄端子とが接続されるオスコネクタとからなり、前記メスコネクタのフード部の内壁の対向位置にそれぞれ設けられた一対のガイド溝と、前記オスコネクタの外周に設けられ前記メスコネクタとの嵌合状態で前記一対のガイド溝にそれぞれ挿入されてメスコネクタとオスコネクタとの回動を規制する一対のガイドリブと、前記ガイド溝の底面にそれぞれ設けられて前記ガイドリブと当接しメスコネクタとオスコネクタの縦横方向の移動を規制する規制突部とを有するコネクタであって、前記メスコネクタはメスコネクタハウジングと、端子収容室が設けられるコネクタ本体と、このコネクタ本体を覆う前記フード部としての外套フード部とで形成され、前記外套フード部の内壁に前記一対のガイド溝が設けられ、該一対のガイド溝のガイド面の奥方に前記規制突部がそれぞれ設けられ、前記オスコネクタはオスコネクタハウジングと、前記メスコネクタとの嵌合時に前記コネクタ本体と外套フード部との間に挿入される嵌合フード部とで形成され、前記ガイドリブは前記嵌合フード部の縦方向長さと横方向長さのうち長い方の両側壁にそれぞれ形成されていることを特徴とする。
【発明の効果】
【００１５】
請求項１に記載した本発明のコネクタによれば、ガイド溝にガイドリブが挿入されるため、メスコネクタとオスコネクタとの回動を規制することができる。
【００１６】
また、ガイドリブと当接してメスコネクタとオスコネクタの縦横方向の移動を規制する規制突部をガイド溝の底面に設けたため、嵌合力が高くなることを抑制することができる。
【００１７】
従って、メスコネクタとオスコネクタとの回動を抑制すると共に、嵌合力が高くなることを抑制するコネクタを提供することができる。
【００１８】
特に、請求項１に記載した本発明のコネクタによれば、外套フード部の内壁に設けられた一対のガイド溝のガイド面の奥方に規制突部を設けることにより、メスコネクタとオスコネクタとを嵌合した際、メスコネクタとオスコネクタとの回動を抑制すると共に、コネクタの回動により発生する雌端子とオスタブとの摩擦を低減することができる。
【００１９】
また、メスコネクタとオスコネクタとを嵌合した際、メスコネクタとオスコネクタとの間に適切なクリアランス（隙間）を設けることができるため、コネクタの嵌合力が高くなることを抑制することができる。
【００２０】
さらに、請求項１に記載した本発明のコネクタによれば、嵌合フード部の両側壁に一対のガイドリブを形成することにより、メスコネクタとオスコネクタを正規嵌合位置に保持することができる。また、ガイドリブがガイド溝に挿入されることにより、保持力を向上することができる。
【００２１】
また、ガイドリブを嵌合フード部の縦方向長さと横方向長さのうち長い方（本発明の実施形態では、横方向）の両側壁に形成することにより、メスコネクタとオスコネクタとの回動を抑制することができる。
【図面の簡単な説明】
【００２２】
【図１】本発明の実施形態に係るメスコネクタとオスコネクタを示す斜視図である。
【図２】本発明の実施形態に係るコネクタを示す斜視図である。
【図３】本発明の実施形態に係るコネクタの内部を示す平面図である。
【図４】本発明の実施形態に係るメスコネクタ及びオスコネクタを示す断面図である。
【図５】本発明の実施形態に係るコネクタを示す断面図である。
【図６】本発明の実施形態に係るメスコネクタを示す断面図である。
【図７】本発明の実施形態に係るコネクタの正面図及びコネクタの回動を示す断面図である。
【図８】本発明の実施形態に係るコネクタの規制突部を説明するための平面図である。
【図９】従来におけるコネクタを示す平面図である。
【発明を実施するための形態】
【００２３】
以下、本発明の実施形態に係るコネクタについて図面を参照して説明する。はじめに、図１及び図２を参照して、本発明の実施形態に係るコネクタについて説明する。図１は、本発明の実施形態に係るメスコネクタとオスコネクタを示す斜視図である。図２は、本発明の実施形態に係るコネクタを示す斜視図である。
【００２４】
本発明の実施形態に係るコネクタは、電線端末（車両や車両に搭載される電気機器等の配線に用いられる端末）の雌端子と雄端子とを電気的に接続するためのコネクタである。
【００２５】
図１及び図２に示すように、コネクタ１は、雌端子１１が収容されるメスコネクタ１２と、メスコネクタ１２と嵌合して雄端子（図示省略）と雌端子１１とを接続するオスコネクタ１４とから略構成されている。
【００２６】
メスコネクタ１２は、合成樹脂等の材料で筒状に形成されたメスコネクタハウジング２１と、雌端子を収容するコネクタ本体２２と、コネクタ本体２２を覆う外套フード部２３とを備えている。
【００２７】
コネクタ本体２２は、筒状の内部に雌端子１１が収容される端子収容室２４と、オスコネクタ１４がメスコネクタ１２に嵌合する際、コネクタ本体２２内側に撓み変形する防水栓２５（パッキン、図２参照）が収容される防水栓収容室２６とを備えている。
【００２８】
この防水栓２５は、略中央が貫通したリング状に形成されており、防水栓２５が防水栓収容室２６に収容された状態でオスコネクタ１４とメスコネクタ１２に嵌合すると、オスコネクタ１４及びメスコネクタ１２の内壁に弾性的に拡張して密着する。このため、オスコネクタ１４側からコネクタ１内部に水が浸入することを防止することができる。
【００２９】
外套フード部２３の内壁の対向位置には、後で図４を参照して説明するように、それぞれ一対のガイド溝２７が設けられている。
【００３０】
ガイド溝２７は、後述するオスコネクタ１４のガイドリブ４３が挿入されることにより、メスコネクタ１２とオスコネクタ１４とを正規の嵌合位置に保持し、メスコネクタ１２とオスコネクタ１４との間の回動を規制する。
【００３１】
後で図４を参照して説明するように、一対のガイド溝２７の底面にはそれぞれ規制突部２９が設けられている。この規制突部２９は、後述するオスコネクタ１４のガイドリブ４３と当接し、メスコネクタ１２とオスコネクタ１４との嵌合方向の縦横方向の移動を規制する。
【００３２】
具体的には、規制突部２９が設けられていない場合、メスコネクタ１２とオスコネクタ１４との間には一定のクリアランス（隙間）が発生する。
【００３３】
しかしながら、本発明の実施形態に係るコネクタ１は、規制突部２９が設けられてガイドリブ４３と当接することにより、メスコネクタ１２の横方向は後述する図３（ａ）の矢印Ｓ方向に変形する。
【００３４】
この横方向の変形により、メスコネクタ１２の縦方向は後述する図３（ａ）の矢印Ｔ方向に変形してメスコネクタ１２とオスコネクタ１４とのクリアランス（隙間）が縮小する。
【００３５】
つまり、メスコネクタ１２の横方向は、規制突部２９がガイドリブ４３と当接することにより、回動を規制する。また、メスコネクタ１２の縦方向は、規制突部２９とガイドリブの当接によりメスコネクタ１２とオスコネクタ１４とのクリアランス（隙間）が縮小して回動を規制する。
【００３６】
このように、ガイド溝２７にガイドリブ４３が挿入することにより、メスコネクタ１２とオスコネクタ１４との回動を規制することができる。
【００３７】
また、ガイドリブ４３と当接してメスコネクタ１２とオスコネクタ１４の縦横方向の移動を規制する規制突部２９をガイド溝２７の底面に設けたため、嵌合力が高くなることを抑制することができる。
【００３８】
従って、メスコネクタとオスコネクタとの回動を抑制すると共に、嵌合力が高くなることを抑制するコネクタを提供することができる。
【００３９】
また、メスコネクタ１２は、防水栓２５の内壁（リング内）と接触して後述するオスコネクタ１４のオスタブ４４と嵌合するフロントホルダ３０を備えている。
【００４０】
オスコネクタ１４は、合成樹脂等の材料で筒状に形成されたオスコネクタハウジング４１と、メスコネクタ１２との嵌合時にコネクタ本体２２と外套フード部２３との間に挿入される嵌合フード部４２とを備えている。
【００４１】
嵌合フード部４２は、両側壁面の横方向（メスコネクタ１２への嵌合方向）に一対に形成されているガイドリブ４３を備えている。また、オスコネクタ１４は、メスコネクタ１２のフロントホルダ３０と嵌合するオスタブ４４（図２参照）とを備えている。
【００４２】
嵌合フード部４２の両側壁に一体に形成されたガイドリブ４３は、メスコネクタ１２とオスコネクタ１４が嵌合した際、メスコネクタ１２に設けられたガイド溝２７に収容される。
【００４３】
また、ガイドリブ４３は、嵌合フード部４２の縦方向長さと横方向長さのうち長い方（本発明の実施形態では、横方向）の両側壁に形成されている。
【００４４】
このように、嵌合フード部４２の両側壁に一対のガイドリブ４３を形成することにより、メスコネクタ１２とオスコネクタ１４を正規の嵌合位置に保持することができる。また、ガイドリブ４３がガイド溝２７（後述する図４（ａ）参照）に挿入されることにより、保持力を向上することができる。
【００４５】
さらに、ガイドリブ４３を嵌合フード部４２の縦方向長さと横方向長さのうち長い方（本発明の実施形態では、横方向）の両側壁に形成することにより、メスコネクタ１２とオスコネクタ１４との回動を抑制することができる。
【００４６】
雌端子１１は、図２に示すように、雄端子の端末（図示省略）と接続する接続部７１と、メスコネクタ１２の端子収容室２４に密着する端子防水栓（パッキン）７２と、車両や車両に搭載される電気機器等に接続された電線７３とを備えている。
【００４７】
端子防水栓７２は、メスコネクタ１２の端子収容室２４の内壁に弾性的に拡張して密着するため、端子収容室２４側からコネクタ１内部に水が浸入することを防止することができる。
【００４８】
次に、図３から図５を参照して、メスコネクタ１２とオスコネクタ１４とを嵌合する場合について説明する。
【００４９】
図３（ａ）は、本発明の実施形態に係るメスコネクタの内部を示す平面図である。図３（ｂ）は、本発明の実施形態に係るオスコネクタの内部を示す平面図である。図４（ａ）は、本発明の実施形態に係るメスコネクタを示す断面図である。図４（ｂ）は、本発明の実施形態に係るオスコネクタを示す断面図である。図５は、本発明の実施形態に係るコネクタを示す断面図である。
【００５０】
図３から図５に示すように、メスコネクタハウジング２１とオスコネクタハウジング４１とを嵌合させると、嵌合フード部４２がコネクタ本体２２と外套フード部２３との間に挿入される。嵌合する際、ガイドリブ４３がガイド溝２７でスライドすることにより、オスコネクタ１４が正規の嵌合位置に案内される。
【００５１】
このとき、コネクタ本体２２の端子収容室２４には、雌端子１１が収容され、メスコネクタハウジング２１とオスコネクタハウジング４１とを嵌合させると、雌端子１１の接続部７１が雄端子の接続部（図示省略）と接続する。また、コネクタ本体２２の防水栓収容室２６には、防水栓２５が収容される（図２参照）。
【００５２】
また、オスコネクタハウジング４１の内部に設けられたオスタブ４４は、メスコネクタ１２とオスコネクタ１４との嵌合方向の略中心でフロントホルダ３０の他側（防水栓２５に対向する側）と嵌合する（図２参照）。
【００５３】
そして、メスコネクタハウジング２１に設けられたロックアーム３１がオスコネクタハウジング４１に設けられたロック突部４５の上部に乗り上げると共に、ロックアーム３１が上方向に撓み変形する。
【００５４】
そして、メスコネクタ１２とオスコネクタ１４とが正規の嵌合位置まで嵌合されると、ロック孔３２（図３（ａ）参照）内にロック突部４５が挿入され、ロックアーム３１の撓み変形が復帰する。
【００５５】
このとき、ロック突部４５のオスコネクタ１４側の端部がロックアーム３１の雌端子１１側に当接することにより係止するため、メスコネクタ１２とオスコネクタ１４とが嵌合状態から離脱不可能に保持される。
【００５６】
図４（ａ）に示すように、本発明の実施形態に係るメスコネクタ１２は、外套フード部２３の内壁に設けられた一対のガイド溝２７のガイド面２８の奥方には規制突部２９が設けられている。
【００５７】
規制突部２９は、コネクタ１の回動により発生する雌端子１１とオスタブ４４との摩擦を低減することが可能な位置である端子収容室２４の近傍に設けられている。
【００５８】
このように、外套フード部２３の内壁に設けられた一対のガイド溝２７のガイド面２８の奥方に規制突部２９を設けることにより、メスコネクタ１２とオスコネクタ１４とを嵌合した際、メスコネクタ１２とオスコネクタ１４との回動を抑制すると共に、コネクタ１の回動により発生する雌端子１１とオスタブ４４との摩擦を低減することができる。
【００５９】
また、メスコネクタ１２とオスコネクタ１４とを嵌合した際、メスコネクタ１２とオスコネクタ１４との間に適切なクリアランス（隙間）を設けることができるため、コネクタ１の嵌合力が高くなることを抑制することができる。
【００６０】
次に、図６から図８を参照して、本発明の実施形態に係るメスコネクタ１２に設けられた規制突部２９について詳細に説明する。
【００６１】
図６は、本発明の実施形態に係るメスコネクタを示す断面図である。図７（ａ）は、本発明の実施形態に係るオスコネクタの内部を示す正面図である。図７（ｂ）は、本発明の実施形態に係るメスコネクタの横方向の動きを示す断面図である。図７（ｃ）は、本発明の実施形態に係るメスコネクタの縦方向の動きを示す断面図である。図７（ｄ）は、本発明の実施形態に係るメスコネクタの前後方向の動きを示す断面図である。図７（ｅ）は、本発明の実施形態に係るメスコネクタの一部拡大図である。
【００６２】
また、図８（ａ）は、本発明の実施形態に係る規制突部の設定について説明するための図である。図８（ｂ）は、本発明の実施形態に係るコネクタ同士の接触について説明するための図である。図８（ｃ）は、本発明の実施形態に係る規制突部について説明するための図である。
【００６３】
図６に示すように、メスコネクタ１２には、端子収容室２４側であって外套フード部２３に設定した幅Ａ内にガイド面２８と規制突部２９を有する一対のガイド溝２７が設けられている。規制突部２９は、一対のガイド溝２７のガイド面２８の奥方に設けられている。
【００６４】
また、図７（ａ）に示すように、オスコネクタ１４は、嵌合フード部４２の縦方向の長さＸと横方向の長さＹのうち長い方の両側壁（図７（ａ）では、横方向の両側壁）にそれぞれガイドリブ４３が形成されている。
【００６５】
図７（ｂ）に示すように、メスコネクタ１２が横方向Ｂ（メスコネクタ１２とオスコネクタ１４の嵌合方向に対して水平方向）に移動、図７（ｃ）に示すように、メスコネクタ１２が縦方向Ｃ（メスコネクタ１２とオスコネクタ１４の嵌合方向に対して垂直方向）に移動した場合、図７（ｅ）に示すように、雌端子１１とオスタブ４４との接点Ｅが移動する。
【００６６】
また、図７（ｄ）に示すように、メスコネクタ１２が前後方向Ｄ（メスコネクタ１２とオスコネクタ１４の嵌合方向）に移動した場合にも、図７（ｅ）に示すように、雌端子１１とオスタブ４４との接点Ｅが移動する。
【００６７】
つまり、図７（ｂ）から図７（ｄ）に示すメスコネクタ１２とオスコネクタ１４の中心線Ｏから、雌端子１１とオスタブ４４との接点Ｅとの距離が遠い場合、雌端子１１とオスタブ４４との接点Ｅの移動距離Ｆ（図７（ｃ）参照）が大きくなり、コネクタ１の移動（回動）により接点Ｅの摩擦が促進されるため、コネクタ１の耐振性が低下する。
【００６８】
そこで、本発明の実施形態に係るコネクタ１は、メスコネクタ１２の一対の外套フード部２３のガイド面２８の奥方（端子収容室２４側）であって、移動距離Ｆ（図７（ｃ）参照）が大きくなる位置近傍に規制突部２９を設けている。
【００６９】
図８（ａ）に示すように、外套フード部２３に規制突部２９を設けない場合、嵌合フード部４２と規制突部２９との間に適切なクリアランス（隙間）がなく、嵌合力が高くなるという問題が発生する。
【００７０】
特に、オスコネクタ１４の嵌合フード部４２は合成樹脂等の材料で薄い筒状に形成されている。このため、樹脂形成時の反り等が発生して、メスコネクタ１２との嵌合時にメスコネクタ１２が干渉して嵌合抵抗が高くなる。
【００７１】
しかしながら、図８（ｂ）に示すように、メスコネクタ１２とオスコネクタ１４との嵌合方向と直交する方向の４箇所に規制突部２９を設けた場合、メスコネクタ１２とオスコネクタ１４との嵌合した際、オスコネクタ１４は弾性的に拡開される。このため、規制突部２９以外の部分もオスコネクタ１４がメスコネクタ１２と接触する。
【００７２】
そこで、図８（ｃ）に示すように、メスコネクタ１２とオスコネクタ１４との嵌合方向と直交する方向の２箇所に規制突部２９を設けた場合、規制突部２９以外の部分はクリアランス（隙間）が少なくなるが嵌合力が低下する。
【００７３】
このため、本発明の実施形態に係るコネクタ１は、雌端子１１とオスタブ４４との接点Ｅの移動距離Ｆが大きくなる方向のコネクタ１の回動を規制するため、メスコネクタ１２の外套フード部２３の内壁に一対のガイド溝２７を設け、この一対のガイド溝２７のガイド面２８の奥方に規制突部２９を設けた（図４（ａ）及び図６参照）。
【００７４】
このように、一対のガイド溝２７のガイド面２８の奥方に規制突部２９を設けることにより、コネクタ１の移動（回動）により接点Ｅの摩擦を低減すると共に、コネクタ１の回動を規制して嵌合力が高くなることを抑制することができる。
【００７５】
このようにして、本発明の実施形態に係るコネクタ１は、電線端末の雌端子１１が収容されフード部（外套フード部）２３を有したメスコネクタ１２と、電線端末の雄端子が収容されメスコネクタ１２のフード部２３内に嵌合して雌端子１１と雄端子とが接続されるオスコネクタ１４とからなるコネクタ１であって、メスコネクタ１２のフード部２３の内壁の対向位置にそれぞれ設けられた一対のガイド溝２７と、オスコネクタ１４の外周に設けられメスコネクタ１２との嵌合状態で一対のガイド溝２７にそれぞれ挿入されてメスコネクタ１２とオスコネクタ１４との回動を規制する一対のガイドリブ４３と、ガイド溝２７の底面にそれぞれ設けられてガイドリブ４３と当接しメスコネクタ１２とオスコネクタ１４の縦横方向の移動を規制する規制突部２９とを有する。
【００７６】
また、本発明の実施形態に係るコネクタ１は、メスコネクタ１２はメスコネクタハウジング２１と、端子収容室２４が設けられるコネクタ本体２２と、このコネクタ本体２２を覆う外套フード部２３とで形成され、外套フード部２３の内壁に一対のガイド溝２７が設けられ、一対のガイド溝２７のガイド面２８の奥方に規制突部２９がそれぞれ設けられている。
【００７７】
さらに、本発明の実施形態に係るコネクタ１は、オスコネクタ１４はオスコネクタハウジング４１と、メスコネクタ１２との嵌合時にコネクタ本体２２と外套フード部２３との間に挿入される嵌合フード部４２とで形成され、ガイドリブ４３は嵌合フード部４２の縦方向長さと横方向長さのうち長い方の両側壁にそれぞれ形成されている。
【００７８】
そして、本発明の実施形態に係るコネクタ１によれば、ガイド溝２７にガイドリブ４３が挿入されるため、メスコネクタ１２とオスコネクタ１４との回動を規制することができる。
【００７９】
また、ガイドリブ４３と当接してメスコネクタ１２とオスコネクタ１４の縦横方向の移動を規制する規制突部２９をガイド溝２７の底面に設けたため、嵌合力が高くなることを抑制することができる。
【００８０】
従って、メスコネクタとオスコネクタとの回動を抑制すると共に、嵌合力が高くなることを抑制するコネクタを提供することができる。
【００８１】
また、本発明の実施形態に係るコネクタ１によれば、外套フード部２３の内壁に設けられた一対のガイド溝２７のガイド面２８の奥方に規制突部２９を設けることにより、メスコネクタ１２とオスコネクタ１４とを嵌合した際、メスコネクタ１２とオスコネクタ１４との回動を抑制すると共に、コネクタ１の回動により発生する雌端子１１とオスタブ４４との摩擦を低減することができる。
【００８２】
また、メスコネクタ１２とオスコネクタ１４とを嵌合した際、メスコネクタ１２とオスコネクタ１４との間に適切なクリアランス（隙間）を設けることができるため、コネクタ１の嵌合力が高くなることを抑制することができる。
【００８３】
さらに、本発明の実施形態に係るコネクタ１によれば、嵌合フード部４２の両側壁に一対のガイドリブ４３を形成することにより、メスコネクタ１２とオスコネクタ１４を正規嵌合位置に保持することができる。また、ガイドリブ４３がガイド溝２７に挿入されることにより、保持力を向上することができる。
【００８４】
また、ガイドリブ４３を嵌合フード部４２の縦方向長さと横方向長さのうち長い方（本発明の実施形態では、横方向）の両側壁に形成することにより、メスコネクタ１２とオスコネクタ１４との回動を抑制することができる。
【００８５】
また、本発明の実施形態に係るコネクタ１によれば、このように、一対のガイド溝２７のガイド面２８の奥方に規制突部２９を設けることにより、コネクタ１の回動により接点Ｅ（図７（ｃ）参照）の摩擦を低減すると共に、コネクタ１の回動を規制して嵌合力が高くなることを抑制することができる。
【００８６】
以上、本発明のコネクタを図示の実施形態に基づいて説明したが、本発明はこれに限定されるものではなく、各部の構成は、同様の機能を有する任意の構成のものに置き換えることができる。
【００８７】
例えば、上述した本発明の実施形態では、ガイドリブ４３は、嵌合フード部４２の横方向に形成されている場合について説明したが、嵌合フード部４２の縦方向長さと横方向長さのうち縦方向長さの方が長い場合には、縦方向に形成してもよい。
【産業上の利用可能性】
【００８８】
本発明は、メスコネクタとオスコネクタとの回動を抑制すると共に、嵌合力が高くなることを抑制するコネクタを提供する上で極めて有用である。
【符号の説明】
【００８９】
１      コネクタ
１１    雌端子
１２    メスコネクタ
１４    オスコネクタ
２１    メスコネクタハウジング
２２    コネクタ本体
２３    外套フード部
２４    端子収容室
２５    防水栓
２６    防水栓収容室
２７    ガイド溝
２８    ガイド面
２９    規制突部
３０    フロントホルダ
３１    ロックアーム
３２    ロック孔
４１    オスコネクタハウジング
４２    嵌合フード
４３    ガイドリブ
４４    オスタブ
４５    ロック突起
７１    接続部
７２    端子防水栓
７３    電線
【図１】
0005670720.tif 000002
【図２】
0005670720.tif 000003
【図３】
0005670720.tif 000004
【図４】
0005670720.tif 000005
【図５】
0005670720.tif 000006
【図６】
0005670720.tif 000007
【図７】
0005670720.tif 000008
【図８】
0005670720.tif 000009
【図９】
0005670720.tif 000010